(57)【要約】【課題】繰り返し曲げを受けても長期に亘って規格特性を満足することが可能な耐屈曲性に優れたＬＡＮケーブルを提供する。【解決手段】複数のツイストペアケーブル１１を撚り合わせた多芯ケーブル１２と、多芯ケーブル１２の周囲に形成されたテープ層１３と、を備え、ツイストペアケーブル１１は、最外に被覆層１６を有するＬＡＮケーブル１０である。テープ層１３の周囲に形成されたシールド層１４と、シールド層１４の周囲に形成されたシース層１５と、を更に備えると良い。被覆層１６は、フッ素樹脂で形成されると良い。テープ層１３は、フッ素樹脂テープを巻き付けて形成されると良い。テープ層１３は、多層構造であると良い。被覆層１６とテープ層１３の表面の摩擦係数が０．１以下であると良い。【選択図】図１
2014191883.tif 000002
【特許請求の範囲】
【請求項１】
複数のツイストペアケーブルを撚り合わせた多芯ケーブルと、
前記多芯ケーブルの周囲に形成されたテープ層と、
を備え、
前記ツイストペアケーブルは、最外に被覆層を有することを特徴とするＬＡＮケーブル。
【請求項２】
前記テープ層の周囲に形成されたシールド層と、
前記シールド層の周囲に形成されたシース層と、
を更に備える請求項１に記載のＬＡＮケーブル。
【請求項３】
前記被覆層は、フッ素樹脂で形成される請求項１又は２に記載のＬＡＮケーブル。
【請求項４】
前記テープ層は、フッ素樹脂テープを巻き付けて形成される請求項１から３の何れか一項に記載のＬＡＮケーブル。
【請求項５】
前記テープ層は、多層構造である請求項１から４の何れか一項に記載のＬＡＮケーブル。
【請求項６】
前記被覆層と前記テープ層の表面の摩擦係数が０．１以下である請求項１から５の何れか一項に記載のＬＡＮケーブル。
【発明の詳細な説明】
【技術分野】
【０００１】
本発明は、可動部用配線として用いられるＬＡＮケーブルに関する。
【背景技術】
【０００２】
ＬＡＮ（Local Area Network）ケーブルは、オフィス内のサーバ、スイッチ、又はパーソナルコンピュータ等の機器間接続に広く用いられているが、近年、イーサネットの高速化・高性能化に伴いＬＡＮケーブルの要求特性が高くなってきている。
【０００３】
図２に示すように、カテゴリ６Ａの規格特性を満足するＬＡＮケーブル２０としては、異形介在２１に沿って複数のツイストペアケーブル２２を縦添えすることで、複数のツイストペアケーブル２２を離間させてケーブル間クロストークを防止する技術を応用したものが考えられる（例えば、特許文献１から４参照）。
【先行技術文献】
【特許文献】
【０００４】
【特許文献１】特開平１１−２８３４４９号公報
【特許文献２】特開２００６−２９４５９０号公報
【特許文献３】特開２００９−２７７５９２号公報
【特許文献４】特開２０１１−１９８６３４号公報
【発明の概要】
【発明が解決しようとする課題】
【０００５】
ところで、近年、イーサネットが工場内配線等の産業系配線にまで普及してきており、可動部用配線として繰り返し曲げに対応したＬＡＮケーブルの提供が望まれている。
【０００６】
しかしながら、前述したＬＡＮケーブル２０では、繰り返し曲げに起因する応力で異形介在２１が劣化（変形）し易いため、可動部用配線として長期に亘って使用されると異形介在２１の劣化により複数のツイストペアケーブル２２を十分に離間させることができなくなり、ケーブル間クロストークが増加する虞がある。
【０００７】
そこで、本発明の目的は、繰り返し曲げを受けても長期に亘って規格特性を満足することが可能な耐屈曲性に優れたＬＡＮケーブルを提供することにある。
【課題を解決するための手段】
【０００８】
この目的を達成するために創案された本発明は、複数のツイストペアケーブルを撚り合わせた多芯ケーブルと、前記多芯ケーブルの周囲に形成されたテープ層と、を備え、前記ツイストペアケーブルは、最外に被覆層を有するＬＡＮケーブルである。
【０００９】
前記テープ層の周囲に形成されたシールド層と、前記シールド層の周囲に形成されたシース層と、を更に備えると良い。
【００１０】
前記被覆層は、フッ素樹脂で形成されると良い。
【００１１】
前記テープ層は、フッ素樹脂テープを巻き付けて形成されると良い。
【００１２】
前記テープ層は、多層構造であると良い。
【００１３】
前記被覆層と前記テープ層の摩擦係数が０．１以下であると良い。
【発明の効果】
【００１４】
本発明によれば、繰り返し曲げを受けても長期に亘って規格特性を満足することが可能な耐屈曲性に優れたＬＡＮケーブルを提供することができる。
【図面の簡単な説明】
【００１５】
【図１】本発明に係るＬＡＮケーブルを示す断面図である。
【図２】従来技術を応用したＬＡＮケーブルを示す断面図である。
【発明を実施するための形態】
【００１６】
以下、本発明の好適な実施の形態を添付図面にしたがって説明する。
【００１７】
図１に示すように、本実施の形態に係るＬＡＮケーブル１０は、複数のツイストペアケーブル１１を撚り合わせた多芯ケーブル１２と、多芯ケーブル１２の周囲に形成されたテープ層１３と、テープ層１３の周囲に形成されたシールド層１４と、シールド層１４の周囲に形成されたシース層１５と、を備え、ツイストペアケーブル１１は、最外に被覆層１６を有することを特徴とする。
【００１８】
このＬＡＮケーブル１０は、イーサネットの高速化・高性能化に対応するためにカテゴリ６Ａの規格特性を満足するものである。
【００１９】
ツイストペアケーブル１１は、２本の絶縁電線１７と、対撚りされた２本の絶縁電線１７の周囲に形成された被覆層１６と、を備える。
【００２０】
絶縁電線１７は、導体１８と、導体１８の周囲に形成された絶縁層１９と、を備える。
【００２１】
導体１８は、電気信号の伝送特性に優れた銅やアルミニウム等の高導電性材料で形成される。
【００２２】
絶縁層１９は、２本の絶縁電線１７の絶縁を十分に確保することができ、絶縁電線１７の耐屈曲性や可撓性を低下させないような絶縁性樹脂材料で形成される。
【００２３】
被覆層１６は、複数のツイストペアケーブル１１を離間させるスペーサの役割を有するものである。この被覆層１６は、ツイストペアケーブル１１の表面の滑りを向上させる観点から、低摩擦係数（例えば、０．０４）のフッ素樹脂を用いて押出被覆で形成されるか、又はこのフッ素樹脂からなるテープを巻き付けて形成されることが好ましい。
【００２４】
多芯ケーブル１２は、複数のツイストペアケーブル１１を撚り合わせたものであるため、複数のツイストペアケーブル１１を縦添えしたものに比べて、ＬＡＮケーブル１０の屈曲時に加えられる応力を効率良く分散させることができる。
【００２５】
テープ層１３は、多芯ケーブル１２とシールド層１４との間の滑りを向上させる観点から、フッ素樹脂テープ（例えば、厚さ０．２ｍｍ）を巻き付けて形成されることが好ましい。
【００２６】
また、テープ層１３は、多芯ケーブル１２の表面の凹凸を軽減する観点から、多層構造であることが好ましい。
【００２７】
多芯ケーブル１２の表面の凹凸を軽減することで、多芯ケーブル１２とシールド層１４との間で摩擦抵抗を低減することができ、両者間の滑りを更に向上させることが可能である。
【００２８】
但し、テープ層１３を厚くし過ぎると、ケーブル外径が大きくなってしまうため、要求される性能に応じて耐屈曲性とケーブル外径とのバランスを調整すると良い。
【００２９】
なお、滑りを十分に向上させる観点から、被覆層１６とテープ層１３の摩擦係数が０．１以下であることが好ましい。
【００３０】
シールド層１４は、複数の素線を編み込んだ編組シールドで形成される。編組シールドは、金属箔シールドに比べて耐屈曲性や可撓性に優れる。
【００３１】
シース層１５は、ＲｏＨＳ指令に対応するために鉛フリーポリ塩化ビニルで形成される。
【００３２】
これまで説明してきたように、本実施の形態に係るＬＡＮケーブル１０では、被覆層１６を低摩擦係数のフッ素樹脂で形成しているため、複数のツイストペアケーブル１１が互いに滑り易く、ＬＡＮケーブル１０の屈曲時にツイストペアケーブル１１に加えられる応力を効率良く分散させることができる。
【００３３】
更に、多芯ケーブル１２とシールド層１４との間に低摩擦係数のフッ素樹脂テープで形成されたテープ層１３が存在するため、多芯ケーブル１２とシールド層１４とが互いに滑り易く、ＬＡＮケーブル１０の屈曲時に多芯ケーブル１２に加えられる応力を効率良く分散させることができる。
【００３４】
これらの理由から、ＬＡＮケーブル１０では、繰り返し曲げに起因する応力が被覆層１６に与える影響は極めて少なく、繰り返し曲げで被覆層１６が劣化することは殆ど無いため、複数のツイストペアケーブル１１の間隔を長期に亘って維持することが可能である。
【００３５】
このように、ＬＡＮケーブル１０では、異形介在に代えて被覆層１６によって複数のツイストペアケーブル１１を離間させているため、繰り返し曲げに起因する応力で複数のツイストペアケーブル１１の間隔が狭まり難く、繰り返し曲げを受けてもカテゴリ６Ａの規格特性を満足することができる。
【００３６】
以上の通り、本発明によれば、繰り返し曲げを受けても長期に亘って規格特性を満足することが可能な耐屈曲性に優れたＬＡＮケーブル１０を提供することができる。
【００３７】
なお、本発明は、前述した実施の形態に限定されるものでは無く、本発明の範囲を逸脱しない程度に種々の変更を加えることが可能である。
【００３８】
例えば、本実施の形態に係るＬＡＮケーブル１０では、テープ層１３をフッ素樹脂テープで形成したが、摩擦係数が０．１以下の紙テープやポリエチレンテープ等で形成しても構わない。
【符号の説明】
【００３９】
１０  ＬＡＮケーブル
１１  ツイストペアケーブル
１２  多芯ケーブル
１３  テープ層
１４  シールド層
１５  シース層
１６  被覆層
１７  絶縁電線
１８  導体
１９  絶縁層
【図１】
2014191883.tif 000003
【図２】
2014191883.tif 000004